【手続補正書】
【提出日】平成27年9月18日(2015.9.18)
【手続補正１】
【補正対象書類名】特許請求の範囲
【補正対象項目名】全文
【補正方法】変更
【補正の内容】
【特許請求の範囲】
【請求項１】
情報をユーザに送る方法であって、コンピュータプログラムによって実行される
（ａ）電子カレンダにおいて特定される来るべきイベントに関連する情報であってメモリに記憶された情報から、当該来るべきイベントを記述する複数の用語を検索する段階（２５０，３２０）であって、前記複数の用語を検索する段階は、前記複数の用語の抽出が前記来るべきイベントの予め決められた時間だけ前に自動的に始まるように、前記電子カレンダから前記来るべきイベントを記述する複数の用語を抽出することを含んでいる段階と、
（ｂ）コンピュータプロセッサを使って、前記来るべきイベントを記述する複数の用語のうちの少なくとも１つに依存して、利用可能な複数の情報源から少なくとも１つの情報源を選択する段階であって、前記少なくとも１つの情報源の数は、前記複数の利用可能な情報源の全てよりも少ない数である段階と、
（ｃ）前記コンピュータプロセッサを使って、前記用語に基づいた問い合わせを生成する段階と、
（ｄ）前記コンピュータプロセッサを使って、前記問い合わせを使って前記少なくとも１つの情報源に問い合わせて、来るべきイベントのための問い合わせ情報を生成する段階と（２７０，２７５）、
（ｅ）ディスプレイ装置を介して前記問い合わせ情報の少なくとも一部をユーザに送る段階であって、前記問い合わせ情報は前記イベントよりも予め決められた時間だけ前に生成されるものである段階と、
を含むことを特徴とする、情報をユーザに送る方法。
【請求項２】
前記問い合わせを作成するために、所定の基準に基づいて前記用語を構文解析する段階を含むことを特徴とする、請求項１に記載の情報をユーザに送る方法。
【請求項３】
現在のユーザの入力に基づいてシステムをダイナミックに構成するために、システムに利用される定数を提供する段階を含むことを特徴とする、請求項１に記載の情報をユーザに送る方法。
【請求項４】
ミーティング規準との関連性に基づいて問い合わせの結果をランク付けする段階を含むことを特徴とする、請求項１に記載の情報をユーザに送る方法。
【請求項５】
さらに、前記コンピュータプロセッサを使って前記来るべきイベントに関連した情報を問い合わせ情報で更新する段階であって、当該更新には、情報の要約が以前に生成されているときは前記問い合わせ情報を前記情報の要約に追加し、情報の要約がまだ生成されていないときは情報の要約を作成することが含まれ、前記情報の要約はイベントに先って確立又は更新されている、請求項１に記載の情報をユーザに送る方法。
【請求項６】
前記来るべきイベントに関連した情報を問い合わせからの情報で更新することは、ミーティング日付の近傍を、情報の要約のためのフィルター装置として利用することを特徴とする、請求項５に記載の情報をユーザに送る方法。
【請求項７】
前記問い合わせには、関連情報を入手するためにインターネットに問い合わせすることが含まれる、請求項１に記載の情報をユーザに送る方法。
【請求項８】
前記問い合わせには、さらに、特定のサーチエンジンに対する問い合わせを最適化することが含まれる、請求項７に記載の情報をユーザに送る方法。
【請求項９】
情報をユーザに送るためのコンピュータプログラムが記録されたコンピュータ読み取り可能な記録媒体であって、前記コンピュータプログラムは、
（ａ）電子カレンダにおいて特定される来るべきイベントに関連する情報から当該来るべきイベントを記述する複数の用語を検索するコードセグメントと（２５０，３２０）、ここで、前記複数の用語を検索するコードセグメントは、前記複数の用語の抽出が前記来るべきイベントの予め決められた時間だけ前に自動的に始まるように、前記電子カレンダから前記来るべきイベントを記述する複数の用語を抽出することを含んでおり、
（ｂ）コンピュータプロセッサを使って、前記来るべきイベントを記述する複数の検索された用語のうちの少なくとも１つに依存して、利用可能な複数の情報源から少なくとも１つの情報源を選択するコードセグメントと、ここで、前記少なくとも１つの情報源数は、前記複数の利用可能な情報源の全てよりも少ない数であり、
（ｃ）前記コンピュータプロセッサを使って、前記用語に基づいた問い合わせを生成するコードセグメントと、
（ｄ）前記コンピュータプロセッサを使って、前記問い合わせを使って前記少なくとも１つの情報源に問い合わせて、来るべきイベントのための問い合わせ情報を生成するコードセグメントと（２７０，２７５）、
（ｅ）ディスプレイ装置を介して前記問い合わせ情報の少なくとも一部をユーザに送るコードセグメントと、ここで前記問い合わせ情報は前記イベントよりも予め決められた時間だけ前に生成される、
を含むものである、コンピュータ読み取り可能な記録媒体。
【請求項１０】
前記コンピュータプログラムは、前記問い合わせを作成するために、所定の基準に基づいて前記用語を構文解析するコードセグメントを含んでいる、請求項９に記載のコンピュータ読み取り可能な記録媒体。
【請求項１１】
前記コンピュータプログラムは、現在のユーザの入力に基づいてシステムをダイナミックに構成するために、システムに利用される定数を修正するコードセグメントを含んでいる、請求項９に記載のコンピュータ読み取り可能な記録媒体。
【請求項１２】
前記コンピュータプログラムは、ミーティング規準との関連性に基づいて問い合わせの結果をランク付けするコードセグメントを含んでいる、請求項９に記載のコンピュータ読み取り可能な記録媒体。
【請求項１３】
前記コンピュータプログラムは、さらに、前記来るべきイベントに関連した情報を問い合わせ情報で更新し、当該更新には、情報の要約が以前に生成されているときは前記問い合わせ情報を情報の要約に追加し、情報の要約がまだ生成されていないときは情報の要約を作成するコードセグメントを含み、前記情報の要約はイベントに先って確立又は更新されている、請求項９に記載のコンピュータ読み取り可能な記録媒体。
【請求項１４】
前記コンピュータプログラムは、ミーティング日付の近傍を、情報の要約のためのフィルター装置として利用するコードセグメントを含んでいる、請求項１３に記載のコンピュータ読み取り可能な記録媒体。
【請求項１５】
前記コンピュータプログラムは、関連情報を入手するために、インターネットに問い合わせするコードセグメントを含んでいる、請求項９に記載のコンピュータ読み取り可能な記録媒体。
【請求項１６】
前記コンピュータプログラムは、特定のサーチエンジンに対する問い合わせを最適化するコードセグメントを含んでいる、請求項１５に記載のコンピュータ読み取り可能な記録媒体。
【請求項１７】
前記コンピュータプログラムは、ミーティング情報の更新に応えて、前記更新に関連する追加要約情報を入手するコードセグメントを含んでいる、請求項１３に記載のコンピュータ読み取り可能な記録媒体。
【請求項１８】
来るべきイベントを記述する要素の情報を保存するカレンダシステムにアクセス可能なコンピュータが実行する情報収集方法であって、
目標イベントの発生が現時点から予め決められた時間だけ後になった場合、前記カレンダシステムから前記イベントの前記要素の情報を自動的に抽出する段階と、
前記抽出する段階によって抽出された前記要素の情報を用いて前記コンピュータにネットワークで接続された情報源に問い合わせを行う段階と、
前記問い合わせを行う段階の結果、前記情報源から取得した前記要素に関連する第１の情報を前記イベントの発生前に利用可能にする段階と、
を有し、
前記利用可能にする段階は、前記イベントに関する情報を前記第１の情報で繰り返し自動的に更新する段階を含む、
ことを特徴とする情報収集方法。
【請求項１９】
前記抽出する段階は、前記イベントの前記要素の情報にパターンマッチングを行う段階を含むことを特徴とする請求項１８に記載の情報収集方法。
【請求項２０】
前記要素の情報の要約が以前に生成されている場合は、前記問い合わせを行う段階は前記問い合わせに前記要約を含め、前記更新する段階は前記要約を更新する段階を含み、
前記要素の情報の要約が以前に生成されていない場合は、前記更新する段階は前記要約を作成する段階を含むことを特徴とする請求項１８に記載の情報収集方法。
【請求項２１】
前記ネットワークはインターネットを含むことを特徴とする請求項１８乃至２０のうちいずれか１項に記載の情報収集方法。
【請求項２２】
前記問い合わせを行う段階はサーチエンジンを利用して前記問い合わせを行うことを特徴とする請求項２１に記載の情報収集方法。
【請求項２３】
前記情報源から取得した前記要素の情報をランク付けする段階を更に有することを特徴とする請求項１８乃至２２のうちいずれか１項に記載の情報収集方法。
【手続補正２】
【補正対象書類名】明細書
【補正対象項目名】発明の名称
【補正方法】変更
【補正の内容】
【発明の名称】情報をユーザに送る方法、コンピュータ読み取り可能な記録媒体、および情報収集方法